(57)【特許請求の範囲】
【請求項１】
帳票に印刷されたマークであって前記帳票に対して糊を塗布するか否かを決めるための糊制御マークを検出し糊制御信号を出力する糊制御マーク検出手段と、
前記帳票に印刷されたバーコードであって前記帳票が糊を塗布する対象の帳票であるか否かの情報を含む帳票属性情報バーコードを読取り帳票属性情報を出力するバーコード読取手段と、
前記糊制御信号に基づいて前記帳票に対して糊を塗布する糊塗布手段の動作を検出し糊塗布動作信号を出力する糊塗布動作検出手段と、
前記糊制御信号と前記帳票属性情報と前記糊塗布動作信号との間において糊を塗布するか否かについて整合性を有するか否かを判定し判定結果を出力する整合性判定手段と、
を具備することを特徴とする糊付異常検出システム。
【請求項２】
請求項１記載の糊付異常検出システムにおいて、前記帳票属性情報から判定の対象となった帳票を特定する帳票特定情報を抽出し、その帳票特定情報と対応させて前記判定結果および前記糊制御信号と前記帳票属性情報と前記糊塗布動作信号の状態を所定の様式でログファイルおよび／または印刷物として出力する判定結果出力手段を具備することを特徴とする糊付異常検出システム。
【発明の詳細な説明】
【技術分野】
【０００１】
本発明は糊付け状態を検査する技術分野に属する。特に、可変ページの冊子を製本するときに、糊付けするページに糊が付き、糊付けしないページに糊が付かないように制御するための糊制御系統に異常があるか否かを検出する糊付異常検出システムに関する。
【背景技術】
【０００２】
分離したシートを綴じて冊子を得るため、それらのシートに対して液状の糊を塗布する装置が知られている。たとえば、糊供給部からの糊の流れにおける途絶を検出したときに装置の動作を停止して糊の流れを回復する糊付装置が知られている（特許文献１）。また、ノズルからの糊吐出をチェックする機構を有し糊付不良の冊子が発生しないようにした糊付装置が知られている（特許文献２）。
【特許文献１】特開昭５９−５２５６４
【特許文献２】特開２００２−２７３２９８
【０００３】
ところで、単純に糊の吐出が停止したことを検出して異常と判定するだけでは、糊付状態の正確な判定を行うことができない。すなわち、連続して冊子を製本するときには、冊子の第１ページとその前の冊子の最終ページとが糊によって接着してしまっては、所望の冊子を得ることができない。したがって、分離したシートの搬送にタイミングを合せて糊が適正に吐出されたか否かだけではなく、冊子の第１ページまたは最終ページを別扱いとして糊付状態について判定をする必要性がある。
【０００４】
従来の糊付装置は製本システムの動作信号に基づくタイミングで糊付状態を判定する方式となっている。その方式で、固定ページの冊子の製本において糊付状態を判定することは容易である。しかしながら、可変ページの冊子の製本において糊付状態を判定できるのは、印刷情報に基づいてシートへの印刷を行い、その印刷に連続して製本する装置（たとえば複写機）に限定されていた。従来の糊付装置においては、別工程で印刷されたシートから可変ページの冊子の製本において糊付状態を判定することができないという問題があった。
【発明の開示】
【発明が解決しようとする課題】
【０００５】
本発明は上記の問題を解決するために成されたものである。その目的は、可変ページの冊子の製本において糊付状態を判定することができ、しかも簡易で高い信頼性が得られるようにすることができる糊付異常検出システムを提供することにある。
【課題を解決するための手段】
【０００６】
本発明の請求項１に係る糊付異常検出システムは、帳票に印刷されたマークであって前記帳票に対して糊を塗布するか否かを決めるための糊制御マークを検出し糊制御信号を出力する糊制御マーク検出手段と、前記帳票に印刷されたバーコードであって前記帳票が糊を塗布する対象の帳票であるか否かの情報を含む帳票属性情報バーコードを読取り帳票属性情報を出力するバーコード読取手段と、前記糊制御信号に基づいて前記帳票に対して糊を塗布する糊塗布手段の動作を検出し糊塗布動作信号を出力する糊塗布動作検出手段と、前記糊制御信号と前記帳票属性情報と前記糊塗布動作信号との間において糊を塗布するか否かについて整合性を有するか否かを判定し判定結果を出力する整合性判定手段と、を具備するようにしたものである。
本発明の請求項２に係る糊付異常検出システムは、請求項１記載の糊付異常検出システムにおいて、前記帳票属性情報から判定の対象となった帳票を特定する帳票特定情報を抽出し、その帳票特定情報と対応させて前記判定結果および前記糊制御信号と前記帳票属性情報と前記糊塗布動作信号の状態を所定の様式でログファイルおよび／または印刷物として出力する判定結果出力手段を具備するようにしたものである。
【発明の効果】
【０００７】
本発明の請求項１に係る糊付異常検出システムによれば、帳票に印刷されたマークであって帳票に対して糊を塗布するか否かを決めるための糊制御マークが糊制御マーク検出手段により検出され糊制御信号が出力され、帳票に印刷されたバーコードであって帳票が糊を塗布する対象の帳票であるか否かの情報を含む帳票属性情報バーコードがバーコード読取手段により読取られ帳票属性情報が出力され、糊制御信号に基づいて帳票に対して糊を塗布する糊塗布手段の動作が糊塗布動作検出手段により検出され糊塗布動作信号が出力され、それら糊制御信号と帳票属性情報と記糊塗布動作信号との間において糊を塗布するか否かについて整合性を有するか否かが整合性判定手段により判定され判定結果が出力される。すなわち、帳票に印刷された糊制御マークと帳票属性情報バーコードと糊塗布動作の３つの情報に基づいて糊付状態の判定が行われる。したがって、可変ページの冊子の製本において糊付状態を判定することができ、しかも簡易で高い信頼性が得られるようにすることができる糊付異常検出システムが提供される。
本発明の請求項２に係る糊付異常検出システムによれば、判定結果出力手段により帳票属性情報から判定の対象となった帳票を特定する帳票特定情報が抽出され、さらにその帳票特定情報と対応させて判定結果および糊制御信号と帳票属性情報と糊塗布動作信号の状態が所定の様式でログファイルおよび／または印刷物として出力される。したがって、後工程において帳票特定情報から異常判定された冊子を容易に探し出して検査することができる。
【発明を実施するための最良の形態】
【０００８】
次に、本発明の実施の形態について図を参照しながら説明する。本発明の糊付異常検出システムにおける構成の一例を図１、図２に示す。また、本発明の糊付異常検出システムの検出対象となる帳票の一例を図３に示す。図１〜図３において、１は糊制御マークセンサ、２はバーコードリーダ、３はデータ処理部、４は糊付装置、４１は糊コントローラ、４２はノズル、４３は糊塗布動作検出部、５は糊吐出センサ、６は塗布糊センサ、１０は給紙部、２０は搬送部、３０は製本部、１００は帳票ブロック、１１０ａ，１１０ｂ，１１０ｃ，１１０ｄは帳票、１１１は糊制御マーク、１１２ａ，１１２ｂは帳票属性情報バーコード、１１３ａ，１１３ｂ，１１３ｄは糊である。
【０００９】
帳票ブロック１００は、図１に示すように、連続紙に印刷された帳票を所定の間隔でＺ折して積重ねてブロック形態としたものである。帳票ブロック１００は一例であって、ロール形態の帳票ロールやシート（枚葉紙）を積重ねた形態の帳票シートであってもよい。  供給部１０は帳票ブロック１００の上部から連続帳票を引き入れてシートカッタで断裁し、シート形態となった帳票１１０ａ，１１０ｂ，・・・を搬送部２０に送給する。
搬送部２０において搬送が行われている間に、印刷された糊制御マーク１１１が帳票１１０ａ，１１０ｂ，・・・に存在するか否かが糊制御マークセンサ１によって検出される。また、帳票１１０ａ，１１０ｂ，・・・に印刷された帳票属性情報バーコード１１２ａ，１１２ｂがバーコードリーダ２によって読取られる。
【００１０】
帳票１１０ａ，１１０ｂ，・・・は、さらに搬送部２０において搬送され製本部３０に到達する。製本部３０には糊コントローラ４１とノズル４２から成る糊付装置４が存在する。図２に示すように、糊コントローラ４１によってノズル４２からの糊の吐出が制御され、そのノズル４２からの糊の吐出により搬送される帳票１１０ａ，１１０ｂ，・・・に対して糊１１０ａ，１１０ｂ，・・・の塗布が行われる。糊１１０ａ，１１０ｂ，１１０ｄは帳票１１０ａ，１１０ｂ，・・・の搬送方向に延びる直線状の領域に塗布される。このとき、ノズル４２から糊が吐出する状態（流量）は糊吐出センサ５によって検出が行われる。また、帳票１１０ａ，１１０ｂ，・・・に塗布された糊の有無は塗布糊センサ６によって検出が行われる。
【００１１】
糊制御マークセンサ１は糊制御マーク１１１を検出し糊制御信号を出力する糊制御マーク検出手段である。糊制御マーク１１１は、図３に示すように、帳票１１０ａ，１１０ｂ，・・・に印刷されたマークであって帳票１１０ａ，１１０ｂ，・・・に対して糊を塗布するか否かを決めるためのマークである。図３に示す一例においては、糊を塗布しない（ＯＦＦする）帳票１１０ａにだけ糊制御マーク１１１が印刷されており、糊を塗布する（ＯＮする）帳票１１０ｂには糊制御マーク１１１が印刷されていない。このような糊制御マーク１１１を検出する糊制御マークセンサ１としては、投光部からの投射光が光反射物（帳票）の存在により反射したときに受光部がその反射光を受光し電気信号に変換する方式の光電センサを使用することができる。帳票１１０ａ，１１０ｂ，・・・に糊制御マーク１１１が印刷されているか否かにより電気信号が変化する。この電気信号が変化することにより糊制御マーク１１１の有無を検出することができる。糊制御マークセンサ１は、糊制御マーク１１１を検出したときに糊を塗布しない糊制御信号を出力し、糊制御マーク１１１を検出しないときに糊を塗布する糊制御信号を出力する。
【００１２】
バーコードリーダ２は、帳票１１０ａ，１１０ｂ，・・・に印刷された帳票属性情報バーコード１１２ａ，１１２ｂを読取り帳票属性情報を出力する。帳票属性情報バーコード１１２ａ，１１２ｂは、図３に示すように、帳票１１０ａ，１１０ｂ，・・・に印刷されたバーコードであって帳票が糊を塗布する対象の帳票であるか否かの情報（糊のＯＮ／ＯＦＦ）を含んでいる。帳票属性情報には、糊のＯＮ／ＯＦＦ情報だけでなく、冊子連番（冊子１件ごとに連続番号で付けられた番号）、総枚目（１件の冊子を構成する総枚目数）、枚目番号（１件の冊子中の枚目番号）、等の帳票の属性を示す情報が含まれている。バーコードリーダ２としては、帳票に印刷されているバーコードに対してレーザ光線を走査し、そのバーコードによって変調された反射光を受光部において検出する方式のバーコードリーダ、等の周知のバーコードリーダを使用することができる。
【００１３】
データ処理部３は本発明の糊付異常検出システムにおいてデータ処理を行う部分である。このデータ処理部３は、本発明の糊付異常検出システムを適用した糊付装置４における糊コントローラ４１としてのデータ処理を同時に行うように構成することもできるが、図２に示す一例においては、糊付装置４とは別個の構成となっている。すなわち、本発明の糊付異常検出システムは、糊付装置４とは別個のシステムとすることもできるし一体化したシステムとすることもできる。糊データ処理部３は、パーソナルコンピュータ、プログラマブルシーケンスコントローラ、等のデータ処理装置におけるハードウェアとソフトウェアによって実現することができる。
【００１４】
糊付装置４は、図２に示すように、糊コントローラ４１、ノズル４２、糊塗布動作検出部４３を有する。糊コントローラ４１はノズル４２から糊が吐出するために、塗布する対象の帳票がノズル４２の位置に到達したときに、ノズル４２から糊が吐出するように制御を行う。たとえば、ノズル４２において糊の通路を開閉する電磁弁の操作、等を行う。糊塗布動作検出部４３はその制御動作が行われたか否かを検出し糊塗布動作信号を出力する。糊塗布動作信号としては、たとえば、その電磁弁を動作させるために糊コントローラ４１が出力する開閉信号そのものを使用することができる。また、電磁弁の開閉動作を検出するセンサを設け、その検出信号を使用することができる。また、糊塗布動作検出部４３に代えて、前述した糊吐出センサ５や、さらには塗布糊センサ６の出力信号を使用することもできる。データ処理部３はその糊塗布動作信号を糊付装置４から入力する。
【００１５】
データ処理部３または他のデータ処理装置（たとえば、給紙部１０、搬送部２０、製本部３０、等から成る製本システムの制御装置）は供給部１０から供給された帳票１１０ａ，１１０ｂ，・・・の搬送経路上における位置を演算する。この演算は供給部１０が帳票１１０ａ，１１０ｂ，・・・を搬送部２０に供給したことを示す供給信号と、搬送部２０が帳票１１０ａ，１１０ｂ，・・・を搬送した搬送量を示す搬送信号とに基づいて行われる。すなわち、供給信号を起点として、帳票１１０ａ，１１０ｂ，・・・の各々について供給位置からの搬送量を搬送信号から演算し、特定時刻における帳票１１０ａ，１１０ｂ，・・・の位置を演算する。
【００１６】
その演算した位置に基づいて、データ処理部３は帳票１１０ａ，１１０ｂ，・・・における糊制御マーク１１１の印刷領域が糊制御マークセンサ１の検出領域に到達したときに糊制御マークセンサ１が検出した糊制御信号を入力する。また、データ処理部３は帳票１１０ａ，１１０ｂ，・・・における帳票属性情報バーコード１１２ａ，１１２ｂの印刷領域がバーコードリーダ２の読取領域に到達したときにバーコードリーダ２が読取った帳票属性情報を入力する。また、データ処理部３は糊付装置４が糊を塗布する動作を行ったか否かを示す信号である糊塗布動作信号を糊塗布動作検出部４３から入力する。データ処理部３は帳票属性情報に対して、これらの糊制御信号、糊塗布動作信号、糊吐出信号、塗布糊信号との間において糊を塗布するか否かについて整合性を有するか否か判定し判定結果を出力する（詳細を後述する）。
【００１７】
また、データ処理部３または他のデータ処理装置（前述を参照）は帳票１１０ａ，１１０ｂ，・・・における糊塗布領域がノズル４２の吐出領域に到達したときに糊を塗布する条件であればノズル４２から糊を吐出することを指令する糊吐出指令信号を糊コントローラ４１に対して出力する。糊を塗布する条件は、帳票１１０ａ，１１０ｂ，・・・に印刷された糊制御マークを糊制御マークセンサ１が検出しないという条件である。糊を塗布しない条件は、帳票１１０ａ，１１０ｂ，・・・に印刷された糊制御マークを糊制御マークセンサ１が検出するという条件である。
また、データ処理部３は帳票１１０ａ，１１０ｂ，・・・における糊塗布領域がノズル４の吐出領域に到達したときに糊吐出センサ５が検出した糊吐出検出信号を入力する。データ処理部３は出力した糊吐出指令信号と入力した糊吐出検出信号との整合性を判定することで適正に糊の吐出が行われているか否かを検出する。糊吐出センサ５としては、たとえば水溶媒の糊が導電性を有することから、電磁誘導の法則を検出原理とする流量センサ、等を使用することができる。
また、データ処理部３は帳票１１０ａ，１１０ｂ，・・・における糊塗布領域が塗布糊センサ６の検出領域に到達したときに塗布糊センサ６が検出した塗布糊信号を入力する。データ処理部３は出力した糊吐出指令信号と入力した塗布糊信号との整合性を判定することで帳票１１０ａ，１１０ｂ，・・・に対して適正な領域に適正な塗布量で糊が塗布されているか否かを検出する。塗布糊センサ６としてはイメージセンサ、等を使用することができる。
【００１８】
以上、構成について説明した。次に、本発明の糊付異常検出システムにおける糊付異常を検出する動作について説明する。
データ処理部３は糊制御マークセンサ１から入力した糊制御信号と、バーコードリーダ２から入力した帳票属性情報と、糊付装置４から入力した糊塗布動作信号との間において糊を塗布するか否かについて整合性を有するか否か判定し判定結果を出力する。すなわち整合性判定手段としてのデータ処理を行う。勿論、同一の帳票についての整合性である。帳票１１０ａを一例とすれば、帳票１１０ａに印刷されている糊制御マークを糊制御マークセンサ１が検出して出力した糊制御信号は帳票１１０ａの糊制御データとしてデータ処理部３はそのメモリに記憶する。また、帳票１１０ａに印刷されている帳票属性情報バーコードをバーコードリーダ２が読取って出力した帳票属性情報は帳票１１０ａの属性データとしてデータ処理部３はそのメモリに記憶する。また、帳票１１０ａに対する糊付装置４の糊を塗布する動作を検出した糊塗布動作信号は帳票１１０ａの糊塗布動作データとしてデータ処理部３はそのメモリに記憶する。そして、データ処理部３は記憶された帳票１１０ａの糊制御データと属性データと糊塗布動作データの３つを比較し、糊を塗布するか否かについてそれらのデータが示すところが一致しているか否かを判定し判定結果を出力する。
【００１９】
データ処理部３はその判定結果をログファイルおよび／または印刷物として出力する。そのとき、データ処理部３は帳票属性情報から判定の対象となった帳票を特定する帳票特定情報を抽出する。帳票属性情報における「冊子連番」と「枚目番号」の組は帳票特定情報である。データ処理部３はその帳票特定情報と対応させて判定結果および糊制御信号と帳票属性情報と糊塗布動作信号の状態を所定の様式で出力する。すなわち判定結果出力手段としてのデータ処理を行う。特に、その判定結果が整合性を有しないという判定結果のときには、後工程において帳票特定情報から要検査品を容易に探し出して検査することができるようにする必要性がある。そこで、データ処理部３はその判定結果の帳票特定情報が要検査品であること示すように判定結果を出力する。
【００２０】
データ処理部３が出力する判定結果の様式の一例を図４に示す。図４に示す一例においては、「冊子連番」、「枚目番号」、「総枚目」、「糊ＯＮ／ＯＦＦ」、「センサ」、「糊付装置」、「検査結果」の項目が存在する。その内の「冊子連番」、「枚目番号」、「総枚目」、「糊ＯＮ／ＯＦＦ」はバーコードリーダ２が読取って出力する帳票属性情報に含まれている情報である。また「センサ」は糊制御マークセンサ１が出力する糊制御信号によって示される情報である。また「糊付装置」は糊塗布動作検出部４３が出力する糊塗布動作信号によって示される情報である。また「検査結果」はデータ処理部３が整合性を有するか否か判定して出力する判定結果を示す情報である。
【００２１】
図４の一番上の行においては、「冊子連番」が「１５」、「枚目番号」が「５」、「総枚目」が「５」、「糊ＯＮ／ＯＦＦ」が「○」、「センサ」が「○」、「糊付装置」が「○」、「検査結果」が「ＯＫ」となっている。この意味は、５枚の帳票によって構成される１５番の冊子における５枚目の帳票は、「糊ＯＮ／ＯＦＦ」が「○」であるから帳票属性において糊を付けない帳票であり、「センサ」が「○」であるから糊制御信号においても糊を付けない帳票であることを意味し、「糊付動作」が「○」であるから糊塗布動作信号においても糊を塗布していない帳票であることを意味している。そして、それら３つは糊を塗布するか否かについて整合性を有するから「検査結果」が「ＯＫ」となっている。
【００２２】
また、図４の上から６番目の行においては、３枚の帳票によって構成される１３番の冊子における１枚目の帳票は、「糊ＯＮ／ＯＦＦ」が「×」であるから帳票属性において糊を付ける帳票であり、「センサ」が「×」であるから糊制御信号においても糊を付ける帳票であることを意味している。そして、両者は糊を塗布するか否かについて整合性を有するから「検査結果」が「ＯＫ」となっている。
また、図４の上から７番目の行においては、３枚の帳票によって構成される１３番の冊子における２枚目の帳票は、「糊ＯＮ／ＯＦＦ」が「×」であるから帳票属性において糊を付ける帳票であり、「センサ」が「×」であるから糊制御信号においても糊を付ける帳票であることを意味し、「糊付動作」が「×」であるから糊塗布動作信号においても糊を塗布している帳票であることを意味している。そして、それら３つは糊を塗布するか否かについて整合性を有するから「検査結果」が「ＯＫ」となっている。
また、図４の上から８番目の行においては、３枚の帳票によって構成される１３番の冊子における３枚目の帳票は、「糊ＯＮ／ＯＦＦ」が「○」であるから帳票属性において糊を付けない帳票であるのに対して、「センサ」が「×」であるから糊制御信号においては糊を付ける帳票であることを意味し、「糊付動作」が「×」であるから糊塗布動作信号においても糊を塗布している帳票であることを意味している。すなわち、それら３つは糊を塗布するか否かについて整合性を有しないから「検査結果」が「要検査品」となっている。
【図面の簡単な説明】
【００２３】
【図１】本発明の糊付異常検出システムにおける構成の一例を示す図（その１）である。
【図２】本発明の糊付異常検出システムにおける構成の一例を示す図（その２）である。
【図３】本発明の糊付異常検出システムにおいて検出対象となる帳票の一例を示す図である。
【図４】本発明の糊付異常検出システムが出力する判定結果の様式の一例を示す図である。
【符号の説明】
【００２４】
１  糊制御マークセンサ
２  バーコードリーダ
３  データ処理部
４  糊付装置
４１  糊コントローラ
４２  ノズル
４３  糊塗布動作検出部
５  糊吐出センサ
６  塗布糊センサ
１０  給紙部
２０  搬送部
３０  製本部
１００  帳票ブロック
１１０ａ，１１０ｂ，１１０ｃ，１１０ｄ  帳票
１１１  糊制御マーク
１１２ａ，１１２ｂ  帳票属性情報バーコード
１１３ａ，１１３ｂ，１１３ｄ  糊
【図１】
0004784315.tif 000002
【図２】
0004784315.tif 000003
【図３】
0004784315.tif 000004
【図４】
0004784315.tif 000005